(57)【要約】【課題】呼吸機能の測定における手間を低減できるセンサユニット及び呼吸機能検査装置を提供すること。【解決手段】センサユニットは、ケースと、ケースに対してスライドできるホルダと、ホルダに脱着可能なフローセンサと、プローブを有し且つケースに支持される圧力伝達ユニットと、を備える。フローセンサは、人間が口で咥える第１筒部と、内部にスクリーンを有し且つホルダに嵌まるスクリーン収納部と、スクリーン収納部に対して第１筒部とは反対側に位置する第２筒部と、少なくとも第１筒部の外周面に設けられ、フローセンサの内部に繋がる筒状の接続部と、を備える。ホルダがスライドすると、接続部がプローブに嵌まる。【選択図】図９
2019146708.tif 000002
【特許請求の範囲】
【請求項１】
ケースと、
前記ケースに対してスライドできるホルダと、
前記ホルダに脱着可能なフローセンサと、
プローブを有し且つ前記ケースに取り付けられる圧力伝達ユニットと、
を備え、
前記フローセンサは、
人間が口で咥える第１筒部と、
内部にスクリーンを有し且つ前記ホルダに嵌まるスクリーン収納部と、
前記スクリーン収納部に対して前記第１筒部とは反対側に位置する第２筒部と、
少なくとも前記第１筒部の外周面に設けられ、前記フローセンサの内部に繋がる筒状の接続部と、
を備え、
前記ホルダがスライドすると、前記接続部が前記プローブに嵌まる
センサユニット。
【請求項２】
前記ケースは、前記ホルダを支持する保持部と、人間の手で把持される把持部と、を備え、
前記プローブは、前記フローセンサに対して前記把持部とは反対側に位置する
請求項１に記載のセンサユニット。
【請求項３】
前記フローセンサの軸方向及び前記ホルダがスライドする方向の両方に対して直交する方向から見た場合、前記把持部の長手方向は、前記ホルダがスライドする方向に対して角度をなす
請求項２に記載のセンサユニット。
【請求項４】
前記ホルダは、前記スクリーン収納部に面する表面に孔を備え、
前記ケースは、前記ホルダが前記プローブから離れる方向にスライドすると前記孔から突出する押出部を備える
請求項１から３のいずれか１項に記載のセンサユニット。
【請求項５】
前記ホルダを位置決めするためのストッパーと、
前記ケース及び前記ホルダに接続される第１弾性部材と、
を備え、
前記ホルダが前記ストッパーにより位置決めされた状態において、前記第１弾性部材は、前記ホルダを前記ストッパーに向けて押す
請求項１から４のいずれか１項に記載のセンサユニット。
【請求項６】
前記ケース及び前記ストッパーに接続される第２弾性部材を備え、
前記接続部が前記プローブから離れている状態において、前記第２弾性部材は、前記ストッパーを前記ホルダに向かって押す
請求項５に記載のセンサユニット。
【請求項７】
前記圧力伝達ユニットは、プローブを保持するハウジングを備え、
前記ハウジングは、前記ケースに対して脱着可能である
請求項１から６のいずれか１項に記載のセンサユニット。
【請求項８】
請求項１から７のいずれか１項に記載のセンサユニットを備える呼吸機能検査装置。
【発明の詳細な説明】
【技術分野】
【０００１】
本発明は、センサユニット及び呼吸機能検査装置に関する。
【背景技術】
【０００２】
呼吸器疾患の診断等に用いられる呼吸機能検査装置が知られている。呼吸機能検査装置を用いた測定時には、被験者がマウスピースを咥えて呼吸をする。特許文献１には、呼吸機能検査装置の一例が記載されている。特許文献１に示されるように、差圧を測定する呼吸流量測定用センサ部に差し込まれた呼吸用フィルタユニットを、被験者が咥えて呼吸する。
【先行技術文献】
【特許文献】
【０００３】
【特許文献１】特開平１１−３３０１５号公報
【発明の概要】
【発明が解決しようとする課題】
【０００４】
特許文献１に記載されるような呼吸機能検査装置を用いる場合、マウスピースを被験者ごとに交換する必要がある。また、呼吸流量測定用センサ部のメッシュ状のスクリーンを定期的に洗浄又は交換する必要がある。このため、複数の被験者に対して連続して呼吸機能を測定する際には手間がかかる。
【０００５】
本発明は、上記の課題に鑑みてなされたものであって、呼吸機能の測定における手間を低減できるセンサユニット及び呼吸機能検査装置を提供することを目的とする。
【課題を解決するための手段】
【０００６】
上記の目的を達成するため、本開示のセンサユニットは、ケースと、前記ケースに対してスライドできるホルダと、前記ホルダに脱着可能なフローセンサと、プローブを有し且つ前記ケースに取り付けられる圧力伝達ユニットと、を備え、前記フローセンサは、人間が口で咥える第１筒部と、内部にスクリーンを有し且つ前記ホルダに嵌まるスクリーン収納部と、前記スクリーン収納部に対して前記第１筒部とは反対側に位置する第２筒部と、少なくとも前記第１筒部の外周面に設けられ、前記フローセンサの内部に繋がる筒状の接続部と、を備え、前記ホルダがスライドすると、前記接続部が前記プローブに嵌まる。
【０００７】
これにより、フローセンサが取り付けられたホルダをスライドさせることで、呼吸機能を測定できる状態となる。また、呼吸機能の測定が終わった後にフローセンサを交換すれば、スクリーンも同時に交換されることになる。このため、スクリーンの定期的な清掃が不要となる。したがって、センサユニットは、呼吸機能の測定における手間を低減できる。
【０００８】
上記のセンサユニットの望ましい態様として、前記ケースは、前記ホルダを支持する保持部と、人間の手で把持される把持部と、を備え、前記プローブは、前記フローセンサに対して前記把持部とは反対側に位置する。
【０００９】
これにより、人間が把持部を持った状態において、プローブがフローセンサに対して上側に位置する。このため、唾液又は結露による水滴がプローブに流れ込みにくくなる。このため、プローブの清掃頻度が低減される。また、フローセンサをホルダから取り外す時に、フローセンサがプローブから離れる方向に落下する。このため、フローセンサがプローブに引っ掛かりにくくなるので、フローセンサの取り外しが容易となる。
【００１０】
上記のセンサユニットの望ましい態様として、前記フローセンサの軸方向及び前記ホルダがスライドする方向の両方に対して直交する方向から見た場合、前記把持部の長手方向は、前記ホルダがスライドする方向に対して角度をなす。
【００１１】
これにより、フローセンサをホルダから取り外す時に、保持部を下に向けやすくなる。したがって、フローセンサの取り外しが容易となる。
【００１２】
上記のセンサユニットの望ましい態様として、前記ホルダは、前記スクリーン収納部に面する表面に孔を備え、前記ケースは、前記ホルダが前記プローブから離れる方向にスライドすると前記孔から突出する押出部を備える。
【００１３】
これにより、フローセンサをホルダから取り外す時に、押出部によってフローセンサがホルダの外に押し出される。したがって、フローセンサの取り外しが容易となる。
【００１４】
上記のセンサユニットの望ましい態様として、前記ホルダを位置決めするためのストッパーと、前記ケース及び前記ホルダに接続される第１弾性部材と、を備え、前記ホルダが前記ストッパーにより位置決めされた状態において、前記第１弾性部材は、前記ホルダを前記ストッパーに向けて押す。
【００１５】
これにより、ストッパーを操作することで、第１弾性部材によってホルダが自動的にスライドする。このため、使用済みのフローセンサを手で触れずに取り外すことが可能である。また、第１筒部を下に向けてストッパーを操作すれば、１つの動作でフローセンサがケースから速やかに離脱する。このため、フローセンサの取り外しに要する時間が短くなる。
【００１６】
上記のセンサユニットの望ましい態様として、前記ケース及び前記ストッパーに接続される第２弾性部材を備え、前記接続部が前記プローブから離れている状態において、前記第２弾性部材は、前記ストッパーを前記ホルダに向かって押す。
【００１７】
これにより、ホルダがスライドさせられると、第２弾性部材によってストッパーが自動的にホルダに向かって移動する。ホルダを操作することで、ホルダが自動的に位置決めされる。このため、フローセンサの取り付けが容易となる。
【００１８】
上記のセンサユニットの望ましい態様として、前記圧力伝達ユニットは、プローブを保持するハウジングを備え、前記ハウジングは、前記ケースに対して脱着可能である。
【００１９】
これにより、プローブの交換が容易になり、サービス性が向上する。
【００２０】
上記の目的を達成するため、本開示の呼吸機能検査装置は、上記のセンサユニットを備える。
【００２１】
これにより、呼吸機能検査装置は、呼吸機能の測定における手間を低減できる。呼吸機能検査装置によれば、複数の被験者に対する連続した呼吸機能検査を効率的に行うことが可能となる。
【発明の効果】
【００２２】
本開示のセンサユニット及び呼吸機能検査装置によれば、呼吸機能の測定における手間を低減できる。
【図面の簡単な説明】
【００２３】
【図１】図１は、本実施形態の呼吸機能検査装置の模式図である。
【図２】図２は、本実施形態のセンサユニットの正面図である。
【図３】図３は、本実施形態のセンサユニットの背面図である。
【図４】図４は、本実施形態のセンサユニットの平面図である。
【図５】図５は、本実施形態のセンサユニットの底面図である。
【図６】図６は、本実施形態のセンサユニットの右側面図である。
【図７】図７は、本実施形態のセンサユニットの左側面図である。
【図８】図８は、本実施形態のケースの一部を省略した呼吸機能検査装置の斜視図である。
【図９】図９は、図３におけるＡ−Ａ断面図である。
【図１０】図１０は、図３におけるＢ−Ｂ断面図である。
【図１１】図１１は、本実施形態のフローセンサの取り付け方法を説明するための模式図である。
【図１２】図１２は、本実施形態のフローセンサの取り付け方法を説明するための模式図である。
【図１３】図１３は、本実施形態のフローセンサの取り付け方法を説明するための模式図である。
【図１４】図１４は、本実施形態のフローセンサの取り外し方法を説明するための模式図である。
【図１５】図１５は、本実施形態のフローセンサの取り外し方法を説明するための模式図である。
【図１６】図１６は、本実施形態のフローセンサの取り外し方法を説明するための模式図である。
【図１７】図１７は、第１変形例のセンサユニットの左側面図である。
【図１８】図１８は、第２変形例のセンサユニットの左側面図である。
【図１９】図１９は、第３変形例のセンサユニットの左側面図である。
【図２０】図２０は、第４変形例のセンサユニットの断面図である。
【発明を実施するための形態】
【００２４】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。
【００２５】
図１は、本実施形態の呼吸機能検査装置の模式図である。図２は、本実施形態のセンサユニットの正面図である。図３は、本実施形態のセンサユニットの背面図である。図４は、本実施形態のセンサユニットの平面図である。図５は、本実施形態のセンサユニットの底面図である。図６は、本実施形態のセンサユニットの右側面図である。図７は、本実施形態のセンサユニットの左側面図である。図８は、本実施形態のケースの一部を省略した呼吸機能検査装置の斜視図である。図９は、図３におけるＡ−Ａ断面図である。図１０は、図３におけるＢ−Ｂ断面図である。
【００２６】
本実施形態に係る呼吸機能検査装置１００は、例えば呼吸器疾患の診断等に用いられる。図１に示すように呼吸機能検査装置１００は、本体部１０と、外部チューブ１１と、センサユニット１と、を備える。本体部１０及びセンサユニット１は、外部チューブ１１によって接続される。
【００２７】
本体部１０は、圧力センサ１０１と、コンピュータ１０２と、入力装置１０３と、出力装置１０４と、を含む。圧力センサ１０１は、センサユニット１で検出される差圧に応じた信号を出力する。コンピュータ１０２は、例えばＣＰＵ（Central  Processing  Unit）、ＲＯＭ（Read  Only  Memory）及びＲＡＭ（Random  Access  Memory）を備える。コンピュータ１０２は、圧力センサ１０１から得た信号によって、呼吸器疾患の診断に必要な指標を演算し記憶する。入力装置１０３は、例えば操作キーである。入力装置１０３は、計測項目の選択や被験者情報を入力する際等に使用される。出力装置１０４は、例えばディスプレイ及びプリンタ等である。出力装置１０４は、コンピュータ１０２によって演算された指標等を出力する。医師等は、出力装置１０４が出力する情報に基づいて被験者を診断する。
【００２８】
図１から図８に示すように、センサユニット１は、ケース３と、ホルダ５（図８参照）と、フローセンサ９と、圧力伝達ユニット７（図８参照）と、ストッパー８と、第１弾性部材４１（図８参照）と、第２弾性部材４２（図８参照）と、を備える。
【００２９】
図６に示すように、ケース３は、保持部３１と、把持部３２と、カバー３５と、を備える。図８に示すように、保持部３１は、ホルダ５及び圧力伝達ユニット７を支持する部材である。図８から図１０に示すように、保持部３１は、開口３１０と、シャフト３８と、押出部３６と、を備える。開口３１０は、フローセンサ９の少なくとも一部が貫通できる大きさを有する。シャフト３８は、ストッパー８を支持するための略円筒状の部材である。把持部３２は、人間の手で把持される部材である。図６に示すように、側面から見て、把持部３２の長手方向に平行な直線は、保持部３１の長手方向に平行な直線に対して角度をなす。カバー３５は、圧力伝達ユニット７を覆う部材である。カバー３５は、保持部３１に対して回転できる。
【００３０】
ホルダ５は、フローセンサ９を保持する部材である。図８に示すように、ホルダ５は、ケース３の保持部３１に対してスライドできる。ホルダ５は、凹部５１と、開口５４と、２つの爪５６と、２つの孔５５と、突出部５３と、を備える。
【００３１】
凹部５１は、保持部３１の開口３１０に重なるように配置される略円形の窪みである。開口５４は、凹部５１の底面に空けられる略円形の穴である。爪５６は、凹部５１の縁から開口５４に近付く方向に突出する突起である。爪５６は、開口５４の両側に位置する。すなわち、１つの爪５６が開口５４に対して一方側に配置され、もう１つの爪５６が開口５４に対して他方側に配置される。孔５５は、凹部５１の底面及び側面に空けられる穴である。開口５４の軸方向から見て、爪５６の一部が孔５５に重なる。突出部５３は、ケース３に対するホルダ５の位置によってケース３から突出する。ケース３から突出した突出部５３が押されることによって、ホルダ５がスライドする。突出部５３は、ケース３の内側に位置する表面である被接触面５３１を備える。被接触面５３１は、図９に示す回転軸Ｃを中心とした曲面である。回転軸Ｃは、シャフト３８を軸方向に直交する平面で切った各断面の重心を通る直線であり、Ｘ軸に平行である。
【００３２】
フローセンサ９は、被験者の呼吸流量に比例して差圧を発生させる装置である。フローセンサ９は、ホルダ５に脱着可能である。図９に示すように、フローセンサ９は、第１筒部９１と、第２筒部９２と、スクリーン収納部９３と、スクリーン９５と、第１接続部９８と、第２接続部９９と、を備える。
【００３３】
第１筒部９１は、被験者が口で咥える略円筒状の部材である。第２筒部９２は、略円筒状であって、スクリーン収納部９３を介して第１筒部９１と繋がっている。第２筒部９２は、第１筒部９１に導入される空気を整流するための部材である。スクリーン収納部９３は、第１筒部９１と第２筒部９２との間に位置する。スクリーン収納部９３の外径は、第１筒部９１の外径及び第２筒部９２の外径よりも大きい。フローセンサ９がホルダ５に取り付けられる時、スクリーン収納部９３は、ホルダ５の凹部５１に嵌まる。スクリーン９５は、スクリーン収納部９３の内部に位置する。スクリーン９５は、例えばメッシュ状又は一方向に並べられた複数の板を有するルーバー状であって、気体の流れをある程度遮る。このため、第１筒部９１と第２筒部９２との間に圧力差が生じる。第１接続部９８は、第１筒部９１の外周面に位置する。第１接続部９８は、第１筒部９１から突出する筒状の部材である。第１接続部９８の一端は、第１筒部９１の内部で開口している。第１接続部９８の他端は、第１筒部９１の外部で開口している。第２接続部９９は、第２筒部９２の外周面に位置する。第２接続部９９は、第２筒部９２から突出する筒状の部材である。第２接続部９９の一端は、第２筒部９２の内部で開口している。第２接続部９９の他端は、第２筒部９２の外部で開口している。第１接続部９８及び第２接続部９９は、同じ方向に突出している。
【００３４】
以下の説明において、ＸＹＺ直交座標系が用いられる。Ｙ軸は、フローセンサ９の軸方向（スクリーン９５に対して直交する方向）に平行である。Ｚ軸は、ホルダ５のスライドする方向に平行である。Ｘ軸は、Ｙ軸及びＺ軸の両方に対して垂直である。Ｘ軸に沿う方向はＸ方向と記載され、Ｙ軸に沿う方向はＹ方向と記載され、Ｚ軸に沿う方向はＺ方向と記載される。Ｙ方向のうち、ホルダ５に取り付けられたフローセンサ９の第２筒部９２から第１筒部９１に向かう方向を＋Ｙ方向とする。Ｚ方向のうち、把持部３２に対して保持部３１のある方向を＋Ｚ方向とする。＋Ｚ方向を上とし＋Ｙ方向を向いた場合の右方向を＋Ｘ方向とする。
【００３５】
図１０に示すように、ケース３の押出部３６は、Ｚ方向において孔５５及びスクリーン収納部９３に重なる。押出部３６は、フローセンサ９に対して−Ｚ方向側に位置する。押出部３６は、傾斜面３６１を備える。傾斜面３６１は、Ｚ軸に直交する平面に対して傾斜している。傾斜面３６１は、＋Ｙ方向の端部が−Ｙ方向の端部よりも−Ｚ方向に位置するように傾斜している。傾斜面３６１は、孔５５に嵌まったスクリーン収納部９３に面する。ホルダ５が−Ｚ方向にスライドすると、スクリーン収納部９３の外周面が傾斜面３６１に接し、傾斜面３６１が孔５５から突出する。スクリーン収納部９３が傾斜面３６１に接すると、フローセンサ９に＋Ｙ方向且つ＋Ｚ方向に向かう力が作用する。これにより、フローセンサ９がホルダ５から外れやすくなっている。
【００３６】
圧力伝達ユニット７は、フローセンサ９の内部の圧力を図１に示す本体部１０に伝達するための装置である。図８及び図９に示すように、圧力伝達ユニット７は、圧力導入部７５と、第１内部チューブ７１と、第２内部チューブ７２と、を備える。
【００３７】
図８及び図９に示すように、圧力導入部７５は、ハウジング７５０と、第１プローブ７５１と、第２プローブ７５２と、を備える。ハウジング７５０は、第１プローブ７５１及び第２プローブ７５２を保持する部材である。ハウジング７５０によって、第１プローブ７５１及び第２プローブ７５２が相対的に位置決めされる。ハウジング７５０は、ケース３の保持部３１に取り付けられる。ハウジング７５０は、保持部３１に対して脱着可能である。第１プローブ７５１は、フローセンサ９の第１接続部９８に接続され、第１筒部９１の圧力を検出する。第２プローブ７５２は、フローセンサ９の第２接続部９９に接続され、第２筒部９２の圧力を検出する。
【００３８】
図９に示すように、第１内部チューブ７１は、第１プローブ７５１に接続される。第１内部チューブ７１は、ケース３の内部を通って、図１に示す外部チューブ１１に接続される。第２内部チューブ７２は、第２プローブ７５２に接続される。第２内部チューブ７２は、ケース３の内部を通って、図１に示す外部チューブ１１に接続される。外部チューブ１１は、２つのチューブを内蔵する。第１内部チューブ７１の圧力と第２内部チューブ７２の圧力とを、別々に本体部１０に伝達する。このため、第１プローブ７５１が検出した圧力は、第１内部チューブ７１及び外部チューブ１１を介して本体部１０に入力される。第２プローブ７５２が検出した圧力は、第２内部チューブ７２及び外部チューブ１１を介して本体部１０に入力される。本体部１０は、第１筒部９１の圧力と第２筒部９２の圧力とに基づいてフローセンサ９の差圧を演算する。
【００３９】
図９に示すように、圧力導入部７５、第１内部チューブ７１の一端、及び第２内部チューブ７２の一端は、保持部３１の＋Ｚ方向の端部に位置する。第１プローブ７５１及び第２プローブ７５２は、フローセンサ９に対してフローセンサ９の＋Ｚ方向側に位置する。すなわち、第１プローブ７５１及び第２プローブ７５２は、フローセンサ９に対して把持部３２とは反対側に位置する。また、ホルダ５の孔５５及び爪５６は、フローセンサ９の−Ｚ方向側に位置する。すなわち、孔５５及び爪５６は、フローセンサ９に対して第１プローブ７５１及び第２プローブ７５２とは反対側に位置する。
【００４０】
ストッパー８は、ホルダ５を位置決めするための部材である。ストッパー８は、ケース３のシャフト３８に対して回転可能である。ストッパー８は、図９に示す回転軸Ｃを中心に回転する。図９に示すように、ストッパー８は、操作部８３と、接触面８１と、を備える。操作部８３は、ケース３の外部に突出している。操作部８３に外力が加わることによって、ストッパー８が回転する。接触面８１は、被接触面５３１に接触する。被接触面５３１が回転軸Ｃを中心とした曲面であるため、接触面８１は被接触面５３１に沿って移動する。
【００４１】
第１弾性部材４１は、ケース３及びホルダ５に接続される。図８に示すように、第１弾性部材４１は、コイルバネである。第１弾性部材４１は、ホルダ５が＋Ｚ方向にスライドする時に縮み、ホルダ５が−Ｚ方向にスライドする時に伸びる。第１弾性部材４１は、圧縮された状態でホルダ５を−Ｚ方向に押す。
【００４２】
第２弾性部材４２は、ケース３及びストッパー８に接続される。図８に示すように、第２弾性部材４２は、コイルバネである。第２弾性部材４２は、操作部８３がケース３に入っていく方向にストッパー８が回転する時に縮み、操作部８３がケース３から出ていく方向にストッパー８が回転する時に伸びる。第２弾性部材４２は、伸びた状態で、操作部８３がケース３から出ていく方向に向かって押す。
【００４３】
第１弾性部材４１が圧縮され且つ第２弾性部材４２が伸びた状態において、図９に示すように接触面８１が被接触面５３１に接する。ホルダ５は、第１弾性部材４１の弾性力とストッパー８から受ける反力とによって位置決めされる。接触面８１が被接触面５３１に接した状態から操作部８３が押されると、ストッパー８がホルダ５から外れる。第１弾性部材４１がホルダ５を−Ｚ方向に押しているので、ホルダ５は−Ｚ方向にスライドする。これにより、ホルダ５の突出部５３が、ケース３から突出する。突出部５３がケース３から突出した状態において、ストッパー８は第２弾性部材４２の弾性力によって突出部５３の背面５３３に押し付けられる。ケース３から突出した突出部５３が押されると、ホルダ５が＋Ｚ方向にスライドする。接触面８１が被接触面５３１に面する位置までホルダ５がスライドすると、第２弾性部材４２の弾性力によってストッパー８が回転する。これにより、接触面８１が被接触面５３１に接し、ホルダ５が位置決めされる。
【００４４】
図１１から図１３は、本実施形態のフローセンサの取り付け方法を説明するための模式図である。図１４から図１６は、本実施形態のフローセンサの取り外し方法を説明するための模式図である。
【００４５】
フローセンサ９をケース３に取り付ける際、図１１に示すように、フローセンサ９が凹部５１に向かって挿入される。この時、第１接続部９８及び第２接続部９９は、＋Ｚ方向を向いている。図１２に示すように、スクリーン収納部９３が凹部５１に嵌まった後、突出部５３が＋Ｚ方向に押される。これにより、ホルダ５及びフローセンサ９が＋Ｚ方向にスライドする。ホルダ５及びフローセンサ９が所定量スライドすると、図１３に示すように第１接続部９８が第１プローブ７５１に嵌まり且つ第２接続部９９が第２プローブ７５２に嵌まる。この時、第２弾性部材４２の弾性力によってストッパー８が回転し、Ｚ方向においてストッパー８の一部がホルダ５に重なる。これにより、ホルダ５のＺ方向の移動が規制され、ホルダ５が位置決めされる。この状態において、第１弾性部材４１は、ホルダ５を−Ｚ方向に押している。
【００４６】
フローセンサ９をケース３から取り外す際、図１４に示すように、操作部８３が−Ｚ方向に押される。ストッパー８は、回転しホルダ５から外れる。ストッパー８によるホルダ５の移動の規制が解除されるので、図１５に示すように第１弾性部材４１の弾性力によってホルダ５が−Ｚ方向にスライドする。これにより、第１接続部９８が第１プローブ７５１から外れ且つ第２接続部９９が第２プローブ７５２から外れる。ホルダ５及びフローセンサ９が所定量スライドすると、図１０に示す押出部３６が孔５５から突出するので、フローセンサ９が＋Ｙ方向に押し出される。このため、フローセンサ９がホルダ５から自動的に外れる。第１筒部９１が第２筒部９２よりも下に位置するようにしておくことによって、図１６に示すようにフローセンサ９が落下する。フローセンサ９は、人間の手に触れることなくケース３から取り外すことが可能である。
【００４７】
なお、第１プローブ７５１及び第２プローブ７５２の位置は、上述した位置に限定されない。第１プローブ７５１及び第２プローブ７５２は、必ずしもフローセンサ９の＋Ｚ方向側に配置されなくてもよい。すなわち、第１プローブ７５１及び第２プローブ７５２は、必ずしもフローセンサ９に対して把持部３２とは反対側に位置しなくてもよい。例えば、第１プローブ７５１及び第２プローブ７５２は、フローセンサ９の−Ｚ方向側に位置していてもよいし、フローセンサ９の＋Ｘ方向側又は−Ｘ方向側に位置していてもよい。また、把持部３２は、フローセンサ９の＋Ｚ方向側に位置していてもよいし、フローセンサ９の＋Ｘ方向側又は−Ｘ方向側に位置していてもよい。
【００４８】
圧力伝達ユニット７は、第１プローブ７５１及び第２プローブ７５２の両方を備えていなくてもよい。圧力伝達ユニット７は、少なくとも第１プローブ７５１を備えていればよい。圧力伝達ユニット７が第２プローブ７５２を備えない場合、フローセンサ９は、第２接続部９９を備えなくてもよい。すなわち、フローセンサ９は、少なくとも第１接続部９８を備えていればよい。また、フローセンサ９は、差圧式流量計に関するものであればよく、リリー型、フライッシュ型、リリー型及びフライッシュ型の変形タイプ、又はピトー管型であってもよい。
【００４９】
第１弾性部材４１及び第２弾性部材４２は、必ずしもコイルバネでなくてもよい。第１弾性部材４１及び第２弾性部材４２は、弾性変形可能な部材であればよく、例えばゴム等であってもよい。また、第１弾性部材４１及び第２弾性部材４２はなくてもよい。
【００５０】
ホルダ５において、爪５６及び孔５５の数は、必ずしも２つでなくてもよい。爪５６及び孔５５の数は、１つであってもよいし、３つ以上であってもよい。ただし、ホルダ５が爪５６及び孔５５をそれぞれ２つ以上有する方が、フローセンサ９を取り外す時にフローセンサ９がホルダ５から外れやすくなる点で好ましい。
【００５１】
本体部１０は、図１に示すようにセンサユニット１と外部チューブ１１で接続されていてもよいし、センサユニット１に内蔵されていてもよい。すなわち、センサユニット１が、本体部１０を備えていてもよい。
【００５２】
以上で説明したように、センサユニット１は、ケース３と、ケース３に対してスライドできるホルダ５と、ホルダ５に脱着可能なフローセンサ９と、プローブ（第１プローブ７５１及び第２プローブ７５２）を有し且つケース３に取り付けられる圧力伝達ユニット７と、を備える。フローセンサ９は、人間が口で咥える第１筒部９１と、内部にスクリーン９５を有し且つホルダ５に嵌まるスクリーン収納部９３と、スクリーン収納部９３に対して第１筒部９１とは反対側に位置する第２筒部９２と、少なくとも第１筒部９１の外周面に設けられ、フローセンサ９の内部に繋がる筒状の接続部（第１接続部９８及び第２接続部９９）と、を備える。ホルダ５がスライドすると、接続部がプローブに嵌まる。
【００５３】
これにより、フローセンサ９が取り付けられたホルダ５をスライドさせることで、呼吸機能を測定できる状態となる。また、呼吸機能の測定が終わった後にフローセンサ９を交換すれば、スクリーン９５も同時に交換されることになる。このため、スクリーン９５の定期的な清掃が不要となる。したがって、センサユニット１は、呼吸機能の測定における手間を低減できる。
【００５４】
センサユニット１において、ケース３は、ホルダ５を支持する保持部３１と、人間の手で把持される把持部３２と、を備える。プローブ（第１プローブ７５１及び第２プローブ７５２）は、フローセンサ９に対して把持部３２とは反対側に位置する。
【００５５】
これにより、人間が把持部３２を持った状態において、プローブ（第１プローブ７５１及び第２プローブ７５２）がフローセンサ９に対して上側に位置する。このため、唾液又は結露による水滴がプローブに流れ込みにくくなる。このため、プローブの清掃頻度が低減される。また、フローセンサ９をホルダ５から取り外す時に、フローセンサ９がプローブから離れる方向に落下する。このため、フローセンサ９がプローブに引っ掛かりにくくなるので、フローセンサ９の取り外しが容易となる。
【００５６】
センサユニット１において、フローセンサ９の軸方向及びホルダ５がスライドする方向の両方に対して直交する方向から見た場合、把持部３２の長手方向は、ホルダ５がスライドする方向（Ｚ方向）に対して角度をなす。
【００５７】
これにより、フローセンサ９をホルダ５から取り外す時に、保持部３１を下に向けやすくなる。したがって、フローセンサ９の取り外しが容易となる。
【００５８】
センサユニット１において、ホルダ５は、スクリーン収納部９３に面する表面に孔５５を備える。ケース３は、ホルダ５がプローブ（第１プローブ７５１及び第２プローブ７５２）から離れる方向にスライドすると孔５５から突出する押出部３６を備える。
【００５９】
これにより、フローセンサ９をホルダ５から取り外す時に、押出部３６によってフローセンサ９がホルダ５の外に押し出される。したがって、フローセンサ９の取り外しが容易となる。
【００６０】
センサユニット１は、ホルダ５を位置決めするためのストッパー８と、ケース３及びホルダ５に接続される第１弾性部材４１と、を備える。ホルダ５がストッパー８により位置決めされた状態において、第１弾性部材４１は、ホルダ５をストッパー８に向けて押す。
【００６１】
これにより、ストッパー８を操作することで、第１弾性部材４１によってホルダ５が自動的にスライドする。このため、使用済みのフローセンサ９を手で触れずに取り外すことが可能である。また、第１筒部９１を下に向けてストッパー８を操作すれば、１つの動作でフローセンサ９がケース３から速やかに離脱する。このため、フローセンサ９の取り外しに要する時間が短くなる。
【００６２】
センサユニット１は、ケース３及びストッパー８に接続される第２弾性部材４２を備える。接続部（第１接続部９８及び第２接続部９９）がプローブ（第１プローブ７５１及び第２プローブ７５２）から離れている状態において、第２弾性部材４２は、ストッパー８をホルダ５に向かって押す。
【００６３】
これにより、ホルダ５がスライドさせられると、第２弾性部材４２によってストッパー８が自動的にホルダ５に向かって移動する。ホルダ５を操作することで、ホルダ５が自動的に位置決めされる。このため、フローセンサ９の取り付けが容易となる。
【００６４】
センサユニット１において、圧力伝達ユニット７は、プローブ（第１プローブ７５１及び第２プローブ７５２）を保持するハウジング７５０を備える。ハウジング７５０は、ケース３に対して脱着可能である。
【００６５】
これにより、プローブ（第１プローブ７５１及び第２プローブ７５２）の交換が容易になり、サービス性が向上する。
【００６６】
呼吸機能検査装置１００は、上述したセンサユニット１を備える。
【００６７】
これにより、呼吸機能検査装置１００は、呼吸機能の測定における手間を低減できる。呼吸機能検査装置１００によれば、複数の被験者に対する連続した呼吸機能検査を効率的に行うことが可能となる。
【００６８】
（第１変形例）
図１７は、第１変形例のセンサユニットの左側面図である。なお、上述した実施形態で説明したものと同じ構成要素には同一の符号を付して重複する説明は省略する。
【００６９】
図１７に示すように、第１変形例のセンサユニット１Ａは、ホルダ５Ａと、ストッパー８Ａと、を備える。ホルダ５Ａは、つまみ部５７Ａを備える。つまみ部５７Ａは、ケース３から突出している。ホルダ５Ａは、２つのつまみ部５７Ａを備える。一方のつまみ部５７Ａは、フローセンサ９の＋Ｘ方向側に位置する。他方のつまみ部５７Ａは、及び−Ｘ方向側に位置する。少なくとも１つのつまみ部５７ＡをＺ方向にスライドさせると、ホルダ５ＡがＺ方向にスライドする。ストッパー８Ａは、ホルダ５Ａを位置決めするための部材である。ストッパー８Ａは、Ｙ方向にスライド可能である。
【００７０】
フローセンサ９をケース３に取り付ける際、フローセンサ９がホルダ５Ａに嵌められた後につまみ部５７Ａが＋Ｚ方向にスライドさせられる。ホルダ５Ａが所定量スライドすると、ストッパー８Ａが＋Ｙ方向にスライドする。これにより、ホルダ５ＡのＺ方向の移動が規制され、ホルダ５Ａが位置決めされる。
【００７１】
フローセンサ９をケース３から取り外す際、ストッパー８Ａが−Ｙ方向にスライドさせられる。これにより、ストッパー８Ａによるホルダ５Ａの移動の規制が解除される。その後、ホルダ５Ａが−Ｚ方向にスライドする。これにより、フローセンサ９がケース３から外れる。
【００７２】
（第２変形例）
図１８は、第２変形例のセンサユニットの左側面図である。なお、上述した実施形態で説明したものと同じ構成要素には同一の符号を付して重複する説明は省略する。
【００７３】
図１８に示すように、第２変形例のセンサユニット１Ｂは、ホルダ５Ｂと、ストッパー８Ｂと、を備える。ホルダ５Ｂは、つまみ部５７Ｂを備える。つまみ部５７Ｂは、ケース３から突出している。ホルダ５Ｂは、２つのつまみ部５７Ｂを備える。一方のつまみ部５７Ｂは、フローセンサ９の＋Ｘ方向側に位置する。他方のつまみ部５７Ｂは、及び−Ｘ方向側に位置する。少なくとも１つのつまみ部５７ＢをＺ方向にスライドさせると、ホルダ５ＢがＺ方向にスライドする。ストッパー８Ｂは、ホルダ５Ｂを位置決めするための部材である。ストッパー８Ｂは、Ｙ方向にスライド可能である。
【００７４】
フローセンサ９をケース３に取り付ける際、フローセンサ９がホルダ５Ｂに−Ｙ方向から嵌められた後につまみ部５７Ｂが＋Ｚ方向にスライドさせられる。ホルダ５Ｂが所定量スライドすると、ストッパー８Ｂが−Ｙ方向にスライドする。これにより、ホルダ５ＢのＺ方向の移動が規制され、ホルダ５Ｂが位置決めされる。第２変形例では、第２筒部９２を持ってフローセンサ９がホルダ５Ｂに−Ｙ方向から嵌められる。このため、人間が咥える第１筒部９１に触れずにフローセンサ９をケース３に取り付けることが可能である。
【００７５】
フローセンサ９をケース３から取り外す際、ストッパー８Ｂが＋Ｙ方向にスライドさせられる。これにより、ストッパー８Ｂによるホルダ５Ｂの移動の規制が解除される。その後、ホルダ５Ｂが−Ｚ方向にスライドする。これにより、フローセンサ９がケース３から−Ｙ方向へ外れる。
【００７６】
（第３変形例）
図１９は、第３変形例のセンサユニットの左側面図である。なお、上述した実施形態で説明したものと同じ構成要素には同一の符号を付して重複する説明は省略する。
【００７７】
図１９に示すように、第３変形例のセンサユニット１Ｃは、ホルダ５Ｃと、ストッパー８Ｃと、を備える。ホルダ５Ｃは、つまみ部５７Ｃを備える。つまみ部５７Ｃは、ケース３から突出している。ホルダ５Ｃは、２つのつまみ部５７Ｃを備える。一方のつまみ部５７Ｃは、フローセンサ９の＋Ｘ方向側に位置する。他方のつまみ部５７Ｃは、及び−Ｘ方向側に位置する。少なくとも１つのつまみ部５７ＣをＺ方向にスライドさせると、ホルダ５ＣがＺ方向にスライドする。ストッパー８Ｃは、ホルダ５Ｃを位置決めするための部材である。ストッパー８Ｃは、Ｙ方向にスライド可能である。
【００７８】
フローセンサ９をケース３に取り付ける際、フローセンサ９がホルダ５Ｃに嵌められた後につまみ部５７Ｃが＋Ｚ方向にスライドさせられる。ホルダ５Ｃが所定量スライドすると、ストッパー８Ｃが＋Ｙ方向にスライドする。これにより、ホルダ５ＣのＺ方向の移動が規制され、ホルダ５Ｃが位置決めされる。
【００７９】
フローセンサ９をケース３から取り外す際、ストッパー８Ｃが−Ｙ方向にスライドさせられる。これにより、ストッパー８Ｃによるホルダ５Ｃの移動の規制が解除される。その後、ホルダ５Ｃが−Ｚ方向にスライドする。これにより、フローセンサ９がケース３から外れる。
【００８０】
（第４変形例）
図２０は、第４変形例のセンサユニットの断面図である。なお、上述した実施形態で説明したものと同じ構成要素には同一の符号を付して重複する説明は省略する。
【００８１】
図２０に示すように、第４変形例のセンサユニット１Ｄのフローセンサ９Ｄは、上述した第２接続部９９を備えていない。第２筒部９２の圧力は、本体部１０に入力されない。例えば、本体部１０は、第１筒部９１の圧力と大気圧とを計測する。本体部１０は、第１筒部９１の圧力と大気圧とに基づいてフローセンサ９Ｄの差圧を演算する。
【符号の説明】
【００８２】
１、１Ａ、１Ｂ、１Ｃ、１Ｄ  センサユニット
１０  本体部
１００  呼吸機能検査装置
１０１  圧力センサ
１０２  コンピュータ
１０３  入力装置
１０４  出力装置
１１  外部チューブ
３  ケース
３１  保持部
３１０  開口
３２  把持部
３５  カバー
３６  押出部
３６１  傾斜面
３８  シャフト
４１  第１弾性部材
４２  第２弾性部材
５、５Ａ、５Ｂ、５Ｃ  ホルダ
５１  凹部
５３  突出部
５３３  背面
５３１  被接触面
５４  開口
５５  孔
５６  爪
５７Ａ、５７Ｂ、５７Ｃ  つまみ部
７  圧力伝達ユニット
７１  第１内部チューブ
７２  第２内部チューブ
７５  圧力導入部
７５０  ハウジング
７５１  第１プローブ（プローブ）
７５２  第２プローブ（プローブ）
８、８Ａ、８Ｂ、８Ｃ  ストッパー
８１  接触面
８３  操作部
９、９Ｄ  フローセンサ
９１  第１筒部
９２  第２筒部
９３  スクリーン収納部
９５  スクリーン
９８  第１接続部（接続部）
９９  第２接続部（接続部）
【図１】
2019146708.tif 000003
【図２】
2019146708.tif 000004
【図３】
2019146708.tif 000005
【図４】
2019146708.tif 000006
【図５】
2019146708.tif 000007
【図６】
2019146708.tif 000008
【図７】
2019146708.tif 000009
【図８】
2019146708.tif 000010
【図９】
2019146708.tif 000011
【図１０】
2019146708.tif 000012
【図１１】
2019146708.tif 000013
【図１２】
2019146708.tif 000014
【図１３】
2019146708.tif 000015
【図１４】
2019146708.tif 000016
【図１５】
2019146708.tif 000017
【図１６】
2019146708.tif 000018
【図１７】
2019146708.tif 000019
【図１８】
2019146708.tif 000020
【図１９】
2019146708.tif 000021
【図２０】
2019146708.tif 000022